(57)【要約】  アジャスタは、安全帯の少なくとも１つのストラップの長さを調整する。少なくとも１つのストラップは、少なくとも１つの肩ストラップと、少なくとも１つの胸ストラップと、少なくとも１つの胴ストラップと、少なくとも１つの尻当てストラップと、少なくとも１つの腿ストラップとから成る群から選択される。アジャスタは、基板と、当該基板に回転可能に作動的に接続し、少なくとも１つのストラップを受け入れるよう構成および配置されたスロットを規定するシャフトと、基板とシャフトを相互に接続するロック機構とを具える。ロック機構は、第１の方向のシャフトの回転を許容し、第２の逆方向のシャフトの回転を防止する。アジャスタで少なくとも１つの安全帯のストラップの長さを調整する方法は、少なくとも１つのストラップに沿った所望の位置にアジャスタを配置するステップと、シャフトの周りに少なくとも１つのストラップを巻き取るステップと、ロック機構でシャフトをロックし、巻戻方向の回転を防止するステップとを含む。【選択図】図１１
2012521853.tif 000002
【特許請求の範囲】
【請求項１】
安全帯の少なくとも１つのストラップの長さを調整するアジャスタであって、前記少なくとも１つのストラップが少なくとも１つの肩ストラップと、少なくとも１つの胸ストラップと、少なくとも１つの胴ストラップと、少なくとも１つの尻当てストラップと、少なくとも１つの腿ストラップとから成る群から選択され、
基板と、
シャフトに回転可能に作動的に接続され、前記少なくとも１つのストラップを受け入れるよう構成および配置されたスロットを規定するシャフトと、
前記基板と前記シャフトを相互に接続するロック機構とを具え、前記ロック機構が第１の方向のシャフトの回転を許容し、第２の逆方向のシャフトの回転を防止することを特徴とするアジャスタ。
【請求項２】
請求項１に記載のアジャスタにおいて、前記スロットがテーパ状であり、前記少なくとも１つのストラップの端部を受け入れることを特徴とするアジャスタ。
【請求項３】
請求項１に記載のアジャスタにおいて、前記シャフトが所望の位置で少なくとも１つのストラップを受け入れ、前記所望の位置が前記少なくとも１つの胸ストラップに沿った位置、前記少なくとも１つの肩ストラップに沿った位置、前記少なくとも１つの尻当てストラップと前記少なくとも１つの肩ストラップとの間の位置、前記胴ストラップに沿った位置、および前記少なくとも１つの腿ストラップに沿った位置から成る群から選択されることを特徴とするアジャスタ。
【請求項４】
請求項１に記載のアジャスタにおいて、第２のストラップが接続される雌バックル部分に作動的に接続するよう構成および配置された雄バックル部分を前記基板が具えることを特徴とするアジャスタ。
【請求項５】
請求項１に記載のアジャスタにおいて、前記ロック機構が、
前記シャフトの各端部に作動的に接続した歯付きのラチェットホイールと、
前記基板に枢動的に接続し、係合位置で前記ラチェットホイールに係合し、解除位置で前記ラチェットホイールを解除するよう構成および配置された複数の歯止めと、
前記歯止めと前記基板に相互に接続し、前記係合位置に前記歯止めを付勢するスプリングとを具え、
前記歯止めが前記係合位置にあるときに前記シャフトが前記第１の方向に回転可能であり、前記歯止めの双方が前記解除位置にあるときに前記シャフトが前記第１の方向および前記第２の方向に回転可能であることを特徴とするアジャスタ。
【請求項６】
請求項１に記載のアジャスタにおいて、前記ロック機構が、
前記シャフトの端部に作動的に接続した摘みと、
前記シャフトの端部および前記摘みに作動的に接続し、前記基板の方へ前記摘みを付勢するスプリングと、
傾斜部を有する前記基板および前記摘みの一方と、
切欠き部を有する前記基板および前記摘みの他方であって、前記切欠き部が係合位置で前記傾斜部を受け入れる他方とを具え、
前記傾斜部が係合位置で切欠き部にあるときに前記シャフトが前記第１の方向に回転可能であり、前記摘みが前記基板から離れて解除位置で前記切欠き部から前記傾斜部を解除するときに前記シャフトが前記第１の方向および前記第２の方向に回転可能であることを特徴とするアジャスタ。
【請求項７】
請求項１に記載のアジャスタがさらに、前記基板に作動的に接続した棒材を具え、前記少なくとも１つのストラップが前記スロットの中、前記棒材の下および周囲、次いで前記シャフトの下を通されることを特徴とするアジャスタ。
【請求項８】
請求項１に記載のアジャスタにおいて、前記少なくとも１つのストラップが前記シャフトの周りに巻き取られる前に、前記シャフトが前記少なくとも１つのストラップの長さ方向に沿って滑動可能であることを特徴とするアジャスタ。
【請求項９】
請求項１に記載のアジャスタにおいて、前記基板が第１のストラップおよび第２のストラップに相互に接続し、前記シャフトが前記第１のストラップに作動的に接続していることを特徴とするアジャスタ。
【請求項１０】
請求項１に記載のアジャスタにおいて、前記シャフトが所望の位置で少なくとも１つのストラップを受け入れ、前記所望の位置が前記少なくとも１つの胸ストラップに沿った位置、前記少なくとも１つの肩ストラップに沿った位置、前記少なくとも１つの尻当てストラップと前記少なくとも１つの肩ストラップとの間の位置、前記胴ストラップに沿った位置、および前記少なくとも１つの腿ストラップに沿った位置から成る群から選択されることを特徴とするアジャスタ。
【請求項１１】
請求項６に記載のアジャスタにおいて、前記基板が前記傾斜部を具え、前記摘みが前記切欠き部を具えることを特徴とするアジャスタ。
【請求項１２】
請求項６に記載のアジャスタにおいて、前記基板が前記切欠き部を具え、前記摘みが傾斜部を具えることを特徴とするアジャスタ。
【請求項１３】
請求項１に記載のアジャスタがさらに、前記基板に作動的に接続したカバーを具え、前記カバーおよび前記基板が開口部を形成し、この中に前記少なくとも１つのストラップが延在することを特徴とするアジャスタ。
【請求項１４】
アジャスタで安全帯の少なくとも１つのストラップの長さを調整する方法であって、前記少なくとも１つのストラップが少なくとも１つの肩ストラップと、少なくとも１つの胸ストラップと、少なくとも１つの胴ストラップと、少なくとも１つの尻当てストラップと、少なくとも１つの腿ストラップとから成る群から選択され、前記アジャスタが基板と、シャフトに回転可能に作動的に接続し、前記少なくとも１つのストラップを受け入れるよう構成および配置されたスロットを規定するシャフトと、前記基板および前記シャフトを相互に接続するロック機構であって、第１の方向の前記シャフトの回転を許容し、第２の逆方向の前記シャフトの回転を防止するロック機構とを具え、
前記少なくとも１つのストラップに沿った所望の位置に前記アジャスタを配置するステップと、
前記シャフトの周りに前記少なくとも１つのストラップを巻き取るステップと、
前記ロック機構で前記シャフトをロックし、巻戻方向の回転を防止するステップとを含むことを特徴とする方法。
【請求項１５】
請求項１４に記載の方法において、前記アジャスタが前記少なくとも１つのストラップの中間部分の近傍に配置され、前記少なくとも１つのストラップが前記アジャスタの一方の側の近傍の第１の部分と、前記アジャスタの反対側の近傍の第２の部分とを有し、前記少なくとも１つのストラップの第１および第２の部分が前記シャフトの周りに巻き取られることを特徴とする方法。
【請求項１６】
請求項１４に記載の方法において、前記アジャスタが前記少なくとも１つのストラップの端部の近傍に配置され、前記端部の近傍の前記少なくとも１つのストラップの一部が前記シャフトの周りに巻き取られることを特徴とする方法。
【請求項１７】
請求項１４に記載の方法において、前記アジャスタが前記安全帯の第１および第２のストラップを相互に接続し、前記第１のストラップが前記シャフトの周りに巻き取られ、前記第２のストラップが前記基板に作動的に接続されることを特徴とする方法。
【請求項１８】
請求項１７に記載の方法において、前記アジャスタが雄部分と雌部分を具え、前記雄部分が前記シャフトを具え、前記雌部分が前記雄部分に解除可能に係合するよう構成および配置され、前記第１のストラップが前記雄部分に接続され、前記シャフトの周りに巻き取り可能であり、前記第２のストラップが前記雌部分に接続されることを特徴とする方法。
【請求項１９】
請求項１４に記載の方法において、前記アジャスタが前記少なくとも１つの胸ストラップに作動的に接続され、前記少なくとも１つの胸ストラップが第１の部分と第２の部分を具え、前記アジャスタが前記第１および第２の部分を相互に接続し、前記アジャスタが雄部分と雌部分を具え、前記雄部分が前記シャフトを具え、前記雌部分が前記雄部分に解除可能に係合するよう構成および配置され、前記第１の部分が前記雄部分に接続し、前記シャフトの周りに巻き取り可能であり、前記第２の部分が前記雌部分に接続され、前記第１および第２の部分が前記雌部分から前記雄部分を分離することによって分離されることを特徴とする方法。
【請求項２０】
請求項１４に記載の方法において、前記アジャスタが前記少なくとも１つの肩ストラップに作動的に接続されることを特徴とする方法。
【請求項２１】
請求項１４に記載の方法において、前記アジャスタが前記少なくとも１つの肩ストラップと前記少なくとも１つの尻当てストラップを相互に接続することを特徴とする方法。
【請求項２２】
請求項１４に記載の方法において、前記アジャスタが前記少なくとも１つの胴ストラップに作動的に接続され、前記少なくとも１つの胴ストラップが第１の部分と第２の部分を具え、前記アジャスタが前記第１および第２の部分を相互に接続し、雄部分と雌部分を具え、前記雄部分が前記シャフトを具え、前記雌部分が前記雄部分を解除可能に係合するよう構成および配置され、前記第１の部分が前記雄部分に接続し、前記シャフトの周りに巻きつくことができ、前記第２の部分が前記雌部分に接続され、前記第１および第２の部分が前記雌部分から前記雄部分を分離することによって分離されることを特徴とする方法。
【請求項２３】
請求項１４に記載の方法において、前記アジャスタが少なくとも１つの腿ストラップに作動的に接続され、前記少なくとも１つの腿ストラップが第１の部分と第２の部分を具え、前記アジャスタが前記第１および第２の部分を相互に接続し、雄部分と雌部分を具え、前記雄部分が前記シャフトを具え、前記雌部分が前記雄部分に解除可能に係合するよう構成および配置され、前記第１の部分が前記雄部分に接続し、前記シャフトの周りに巻き取り可能であり、前記第２の部分が前記雌部分に接続され、前記第１および第２の部分が前記雌部分から前記雄部分を分離することによって分離されることを特徴とする方法。
【発明の詳細な説明】
【技術分野】
【０００１】
本発明は、安全帯のストラップのアジャスタおよび安全帯のストラップを調整する方法に関する。
【背景技術】
【０００２】
様々な職業が比較的危険な高さで不安定な位置に人を配置することにより、転落を防止する安全装置の必要性が生じている。特に、このような装置は通常、支柱構造体と支柱構造体の近くで働く人とを相互に接続する安全線を具えている。安全線は通常、作業者が身につけ全身型安全帯に固定される。言うまでもなく、このようなハーネスは、転落した場合に作業者を安全な状態とするよう設計しなければならない。加えて、ハーネスは人の身体への負荷を最小量にして、できる限り安全な方法で人の転落を防止すべきである。さらに別のデザイン面の配慮としては、人がハーネスを不快および／または煩わしいと思う程度を最小限にすることである。
【０００３】
ハーネスのストラップを相互に接続するために様々な種類のバックルが用いられている。これらのバックルの一部に関する１つの問題は、ストラップが緩み、ハーネスの適切な適合性を損う場合があるということであり、安全性を最大化し、怪我を最小化するのに適切な適合性が重要である。
【０００４】
上述した理由と、本明細書を読んで理解した際に当業者に明らかになる後述する他の理由とにより、この分野において安全帯のストラップのアジャスタと、安全帯のストラップを調整する方法とが必要である。
【発明の概要】
【０００５】
従来の装置に関連する上述した問題は、本発明の実施形態によって取り扱われ、本明細書を読み、理解することによって理解されるであろう。以下の概要は、実施例の目的で作成されており、限定する目的で作成されていない。それは単に、読者による本発明の態様の幾つかの理解を助けるために提供される。
【０００６】
安全帯の少なくとも１つのストラップの長さを調整する一実施形態のアジャスタは、基板と、当該基板に回転可能に作動的に接続し、少なくとも１つのストラップを受け入れるよう構成および配置されたスロットを規定するシャフトと、基板とシャフトを相互に接続するロック機構とを具える。ロック機構は、第１の方向のシャフトの回転を許容し、第２の逆方向のシャフトの回転を防止する。少なくとも１つのストラップは、少なくとも１つの肩ストラップと、少なくとも１つの胸ストラップと、少なくとも１つの胴ストラップと、少なくとも１つの尻当てストラップと、少なくとも１つの腿ストラップとから成る群から選択される。
【０００７】
アジャスタで安全帯の少なくとも１つのストラップの長さを調整する一実施形態の方法は、少なくとも１つのストラップに沿った所望の位置にアジャスタを配置するステップと、ロック機構でシャフトをロックし、巻戻方向の回転を防止するステップとを含む。少なくとも１つのストラップは、少なくとも１つの肩ストラップと、少なくとも１つの胸ストラップと、少なくとも１つの胴ストラップと、少なくとも１つの尻当てストラップと、少なくとも１つの腿ストラップとから成る群から選択される。アジャスタは、基板と、当該基板に回転可能に作動的に接続し、少なくとも１つのストラップを受け入れるよう構成および配置されたスロットを規定するシャフトと、基板とシャフトを相互に接続するロック機構とを具える。ロック機構は、第１の方向のシャフトの回転を許容し、第２の逆方向のシャフトの回転を防止する。
【図面の簡単な説明】
【０００８】
本発明はより容易に理解することができ、詳細な説明と以下の図面を考慮したとき、更なる利点とその使用方法がより容易に明瞭になる。
【図１】図１は、本発明の原理に従って構築された一実施形態のアジャスタの底正面斜視図である。
【図２】図２は、図１に示すアジャスタの上正面斜視図である。
【図３】図３は、図１に示すアジャスタを部分的に分解した上正面斜視図である。
【図４】図４は、図１に示すアジャスタを部分的に分解した底正面斜視図である。
【図５】図５は、図１に示すアジャスタを分解した底正面斜視図である。
【図６】図６は、位置決め位置でストラップに接続した図１に示すアジャスタの正面図である。
【図７】図７は、図６に示すライン７−７に沿って切り取ったアジャスタの断面図である。
【図８】図８は、部分的に巻いた位置でストラップに接続した図１に示すアジャスタの正面図である。
【図９】図９は、図８に示すライン９−９に沿って切り取ったアジャスタの断面図である。
【図１０】図１０は、部分的に巻いた位置でストラップに接続した図１に示すアジャスタの正面図である。
【図１１】図１１は、図１０に示すライン１１−１１に沿って切り取ったアジャスタの断面図である。
【図１２】図１２は、本発明の原理に従って構築した別の実施形態のアジャスタの底正面斜視図である。
【図１３】図１３は、図１２に示すアジャスタを分解した底正面斜視図である。
【図１４】図１４は、図１２に示すアジャスタの底面図である。
【図１５】図１５は、図１２に示すアジャスタの第１の側面図である。
【図１６】図１６は、図１２に示すアジャスタの第２の側面図である。
【図１７】図１７は、図１２に示すアジャスタの背面図である。
【図１８】図１８は、図１２に示すアジャスタの平面図である。
【図１９】図１９は、本発明の原理に従って構築した別の実施形態のアジャスタの正面斜視図である。
【図２０】図２０は、図１９に示すアジャスタの分解した正面斜視図である。
【図２１】図２１は、図１９に示すアジャスタの上面図である。
【図２２】図２２は、図１９に示すアジャスタの第１の側面図である。
【図２３】図２３は、図１９に示すアジャスタの第２の側面図である。
【図２４】図２４は、本発明の原理に従って構築した別の実施形態のアジャスタの底正面斜視図である。
【図２５】図２５は、図２４に示すアジャスタを分解した底正面斜視図である。
【図２６】図２６は、図２４に示すアジャスタの上面図である。
【図２７】図２７は、図２４に示すアジャスタの底面図である。
【図２８】図２８は、図２４に示すアジャスタの側面図である。
【図２９】図２９は、図２４に示すアジャスタの側面図である。
【図３０】図３０は、図２４に示すアジャスタの基板の底面図である。
【図３１】図３１は、図３０に示す基板の第１の側面図である。
【図３２】図３２は、図３０に示す基板の正面図である。
【図３３】図３３は、図３０に示す基板の第２の側面図である。
【図３４】図３４は、図２４に示すアジャスタのカバーの上面図である。
【図３５】図３５は、図３４に示すカバーの第１の側面図である。
【図３６】図３６は、図３４に示すカバーの正面図である。
【図３７】図３７は、図３４に示すカバーの第２の側面図である。
【図３８】図３８は、図２４に示すアジャスタの留め具の正面図である。
【図３９】図３９は、図２４に示すアジャスタのシャフトの底面図である。
【図４０】図４０は、図３９に示すシャフトの正面図である。
【図４１】図４１は、図４０に示すライン４１−４１に沿って切り取ったシャフトの断面図である。
【図４２】図４２は、図４０に示すシャフトの側面図である。
【図４３】図４３は、図２４に示すアジャスタの摘みの内側側面図である。
【図４４】図４４は、図４３に示すライン４４−４４に沿って切り取った摘みの断面図である。
【図４５】図４５は、図４３に示す摘みの外側側面図である。
【図４６】図４６は、本発明の原理に従って構築したバックルの雄部分を具える別の実施形態のアジャスタの背面斜視図である。
【図４７】図４７は、図４６に示すアジャスタとともに用いるバックルの雌部分の正面図である。
【図４８】図４８は、アジャスタを具えた安全帯の背面図である。
【図４９】図４９は、アジャスタを具えた別の安全帯の斜視概略図である。
【図５０】図５０は、本発明の原理に従って構築した別の実施形態のアジャスタの背面斜視図である。
【図５１】図５１は、図５０に示すアジャスタの正面分解斜視図である。
【図５２】図５２は、図５０に示すアジャスタの正面図である。
【図５３】図５３は、図５２に示すライン５３−５３に沿って切り取ったアジャスタの断面図である。
【０００９】
慣習に従い、記載した様々な特徴が一律の縮尺で描かれていないが、本発明に関連する特定の特徴を強調するよう描かれている。参照符号は、図面および本文の全体に渡り同一の要素を表している。
【発明を実施するための形態】
【００１０】
以下の詳細な説明では、その一部を形成する添付図面を参照し、ここで本発明を実施することができる例示的な実施形態を示す。これらの実施形態は、当業者が本発明を実施できる程度に十分に詳細に記載されており、他の実施形態が利用可能であり、本発明の趣旨および範囲から外れずに機械的な変更が可能であることを理解されたい。したがって、以下の詳細な説明は、限定する意味で捉えるべきではなく、本発明の範囲は特許請求の範囲およびその均等物によってのみ規定される。
【００１１】
本発明の原理に従って構築したアジャスタの実施形態は、図面の符号１００，２００，３００，４００，４００’および６００によって示されている。
【００１２】
一実施形態のアジャスタ１００が図１〜図１１に示されている。アジャスタは図５に示す向きで記載されているが、この向きにアジャスタを限定すべきでないことを理解されたい。アジャスタ１００は、他の要素が作動的に接続した基板１０１および１１１を具えている。
【００１３】
基板１０１は略矩形であり、正面の近傍に第１の側１０２と、背面の近傍に第２の側１０６とを具えている。基板１０１は、頂部と第１の側１０２の近傍に開口部１０３と、底部と第１の側１０２の近傍に開口部１０４とを具えている。基板１０１は、頂部と第２の側１０６の近傍に開口部１０７と、底部と第２の側１０６の近傍に開口部１０８とを具えている。基板１０１はさらに、開口部１０３および１０４と開口部１０７および１０８との間の基板１０１の中心近傍に中心開口部１０５を具えている。開口部１０７と頂面の近傍には、突部１０９が基板１０１からほぼ上方に延在し、頂部と第２の側１０６の近傍に切欠き部を形成している。
【００１４】
基板１１１も略矩形であり、正面の近傍に第１の側１１２と、背面の近傍に第２の側１１６とを具えている。基板１１１は、頂部と第１の側１１２の近傍に開口部１１３と、底部と第１の側１１２の近傍に開口部１１４とを具えている。基板１１１は、頂部と第２の側１１６の近傍に開口部１１７と、底部と第２の側１１６の近傍に開口部１１８とを具えている。基板１１１はさらに、開口部１１３および１１４と開口部１１７および１１８との間の基板１１１の中心近傍に中心開口部１１５を具えている。開口部１１７と頂部の近傍には、突部１１９が基板１１１からほぼ上方に延在し、頂部と第２の側１１６の近傍に切欠き部を形成している。
【００１５】
ハブあるいはシャフトはハブ部分１２１および１２８を具え、これは基板１０１および１１１に作動的に接続される。ハブ部分１２１および１２８は半円断面を有するシャフトであり、平らな部分が互いに対面し、その間に隙間がスロット１３５を形成するよう配置される。ハブ部分１２１は、自身を通って側方に延在する穴１２３を具えた第１の端部１２２と、自身を通って側方に延在する穴１２５を具えた第２の端部１２４と、第１および第２の端部１２２および１２４の間の中間部分を通って側方に延在する穴１２６とを具えている。ハブ部分１２８は、自身を通って側方に延在する穴１３０を具えた第１の端部１２９と、自身を通って側方に延在する穴１３２を具えた第２の端部１３１と、第１および第２の端部１２９および１３１の間の中間部分を通って側方に延在する穴１３３とを具えている。
【００１６】
ピン１３６は、ピン１３６の中間部分より小さな直径を有する第１および第２の端部１３７および１３８を具えた円筒軸である。第１の端部１３７は基板１０１の開口部１０４に挿入されるよう構成および配置され、第２の端部１３８は基板１１１の開口部１１４に挿入されるよう構成および配置される。ピン１３６の中間部分は、基板１０１および１１１の間に配置される。
【００１７】
ピン１４０も、ピン１４０の中間部分より小さな直径を有する第１および第２の端部１４１および１４２を具えた円筒軸である。第１の端部１４１は基板１０１の開口部１０７に挿入されるよう構成および配置され、第２の端部１４２は基板１１１の開口部１１７に挿入されるよう構成および配置される。端部１４１および１４２は基板１０１および１１１の各外側から外方へ延在し、ピン１４０の中間部分が基板１０１および１１１の間に配置される。
【００１８】
ラチェットホイール１８０は略円筒部分であり、第１および第２の半円の長手方向の穴１８１および１８２がハブ部分１２１および１２８の端部１２２および１２９を受け入れるよう構成および配置される。ラチェットホイール１８０はさらに、その側面から外方へ延在する歯１８３と、側方の穴１８４とを具えている。側方の穴１８４はハブ部分１２１および１２８の穴１２３および１３０に対応し、留め具１９４がその穴を通って延在し、端部１２２および１２９にラチェットホイール１８０を接続する。
【００１９】
ラチェットホイール１８６はさらに略円筒部分であり、第１および第２の長手方向の穴１８７および１８８がハブ部分１２１および１２８の端部１２４および１３１を受け入れるよう構成および配置される。ラチェットホイール１８６はさらに、その側面から外方へ延在する歯１８９と、側方の穴１９０とを具えている。側方の穴１９０はハブ部分１２１および１２８の穴１２５および１３２に対応し、留め具１９５がその穴を通って延在し、端部１２４および１３１にラチェットホイール１８６を接続する。
【００２０】
スペーサ１４５は略矩形のシャフトであり、ここから第１のフランジ１４６が一端の頂部の近傍から外方に延在し、第２のフランジ１４７が他端の頂部の近傍から外方に延在している。穴１４８は、スペーサ１４５を通って長手方向に延在している。スペーサ１４５の基板は、基板１０１と１１１との間に配置されるよう構成および配置され、これにより穴１４８が基板１０１および１１１の開口部１０３および１１３に対応し、フランジ１４６および１４７が基板１０１および１１１の頂部に配置される。留め具１９２は開口部１０３および１１３と穴１４８を通って延在し、基板１０１および１１１にスペーサ１４５を接続する。ピン１３６とスペーサ１４５は、その間にスロット１５５を形成する。
【００２１】
スペーサ１５０はさらに略矩形のシャフトであり、ここから第１のフランジ１５１が一端の底部の近傍から外方に延在し、第２のフランジ１５２が他端の底部の近傍から外方に延在している。穴１５３は、スペーサ１５０を通って長手方向に延在している。スペーサ１５０の基板は、基板１０１および１１１の間に配置されるよう構成および配置され、これにより穴１５３が基板１０１と１１１の開口部１０８と１１８に対応し、フランジ１５１および１５２が基板１０１と１１１より下に配置される。留め具１９３は開口部１０８および１１８と穴１５３を通って延在し、基板１０１および１１１にスペーサ１５０を接続する。ピン１４０とスペーサ１５０は、その間にスロット１５６を形成する。
【００２２】
歯止め部材１６８は略Ｌ字形であり、係合部分１６９が一端に近く、解除部分１７０が他端に近い。係合部分１６９は、２つの端部の接続点の近傍に開口部１７１を具えている。ピン１４０の第１の端部１４１は開口部１７１を通って延在し、第１の端部１４１が先を潰されてヘッドを形成し、これがピン１４０に歯止め部材１６８を固定する。係合部分１６９は、ラチェットホイール１８０の歯を係合するよう構成および配置される。
【００２３】
歯止め部材１７４も略Ｌ字形であり、係合部分１７５が一端に近く、解除部分１７６が他端に近い。係合部分１７５は、２つの端部の接続点の近傍に開口部（図示せず）を具えている。ピン１４０の第２の端部１４２は開口部１７７を通って延在し、第２の端部１４２が先を潰されてヘッドを形成し、これがピン１４０に歯止め部材１７４を固定する。係合部分１７５は、ラチェットホイール１８６の歯を係合するよう構成および配置される。
【００２４】
スプリング１５８は第１の端部１５９と第２の端部１６０を相互に接続する巻いた中間部分１６１を具え、スプリング１６３は第１の端部１６４と第２の端部１６５を相互に接続する巻いた中間部分１６６を具えている。スプリング１５８の巻いた部分１６１はピン１４０の第１の端部１４１の周りに配置されるよう構成および配置され、スプリング１６３の巻いた部分１６６はピン１４０の第２の端部１４２の周りに配置されるよう構成および配置される。スプリング１５８は基板１０１と歯止め部材１６８との間に配置され、スプリング１６３は基板１１１と歯止め部材１７４との間に配置される。スプリング１５８の第１の端部１５９は突部１０９によって形成された切欠き部の近傍で基板１０１に係合し、スプリング１５８の第２の端部１６０は歯止め部材１６８に係合する。歯止め部材１６８がピン１４０に枢動的に接続されるので、スプリング１５８が歯止め部材１６８に付勢力を与え、これにより係合部分１６９が下向き方向に付勢され、ラチェットホイール１８０に係合する。スプリング１６３の第１の端部１６４は突部１１９によって形成された切欠き部の近傍で基板１１１に係合し、スプリング１６３の第２の端部１６５は歯止め部材１７４に係合する。歯止め部材１７４がピン１４０に枢動的に接続されるので、スプリング１６３が歯止め部材１７４に付勢力を与え、これにより係合部分１７５が下向き方向に付勢され、ラチェットホイール１８６に係合する。
【００２５】
アジャスタ１００を組み立て、安全帯のストラップまたは帯ひも１９７にアジャスタを接続するために、ハブ部分１２１および１２８は帯ひも１９７の対向する側に配置され、平らな部分が互いに対面し、これによりスロット１３５に帯ひも１９７を配置する。ハブ部分１２１および１２８の端部１２２および１２９は、基板１０１の中心開口部１０５を通って、ラチェットホイール１８０のそれぞれの穴１８１および１８２に挿入され、留め具１９４が穴１８４，１２３，および１３０に挿入される。ピン１３６および１４０の端部１３７および１４１は、基板１０１のそれぞれの開口部１０４および１０７に挿入され、次いで基板１１１が接続される。ピン１３６および１４０は、帯ひも１９７の対向する側に配置される。ハブ部分１２１および１２８の端部１２４および１３１は、中心開口部１１５に挿入され、ピン１３６および１４０の端部１３８および１４２が基板１１１のそれぞれの開口部１１４および１１７に挿入される。次いでハブ部分１２１および１２８の端部１２４および１３１は、ラチェットホイール１８６のそれぞれの穴１８７および１８８に挿入され、留め具１９５が穴１９０，１２５，および１３２に挿入される。留め具は、必要ならば開口部１２６および１３３と帯ひもに挿入し、帯ひもをハブ部分１２１および１２８に固定することができるであろう。スペーサ１４５および１５０は、基板１０１と１１１との間に配置され、これにより穴１４８と１５３がそれぞれの開口部１０３および１１３と、開口部１０８および１１８とに対応し、フランジ１４６および１４７が基板１０１および１１１の頂部の近傍になり、フランジ１５１および１５２が基板１０１および１１１の底部の近傍になり、次いで留め具１９２および１９３が挿入されてスペーサ１４５および１５０を基板１０１および１１１に接続する。スペーサ１４５および１５０は帯ひも１９７の対向する側に配置され、帯ひも１９７はピン１３６とスペーサ１４５によって形成された開口部１５５と、ピン１４０とスペーサ１５０によって形成された開口部１５６を通って延在する。
【００２６】
スプリング１５８の巻いた部分１６１は基板１０１から外方に延在するピン１４０の第１の端部１４１の周りに配置され、スプリングの第１の端部１５９は突部１０９によって形成された切欠き部の近傍で基板１０１に係合するよう配置される。次いで第１の端部１４１が歯止め部材１６８の開口部１７１に挿入され、係合部分１６９はラチェットホイール１８０の歯に係合するよう配置され、スプリングの第２の端部１６０が歯止め部材１６８に係合するよう配置され、留め具（図示せず）が開口部１７１を通って、第１の端部１４１に挿入され、歯止め部材１６８をピン１４０に固定する。スプリング１６３の巻いた部分１６６は、基板１１１から外方に延在するピン１４０の第２の端部１４２の周りに配置され、スプリングの第１の端部１６４は突部１１９によって形成された切欠き部の近傍で基板１１１に係合するよう配置される。次いで第２の端部１４２が歯止め部材１７４の開口部（図示せず）に挿入され、係合部分１７５がラチェットホイール１８６の歯に係合するよう配置され、スプリングの第２の端部１６５が歯止め部材１７４に係合するよう配置され、留め具１７８が開口部を通って、第２の端部１４２に挿入され、歯止め部材１７４をピン１４０に固定する。アジャスタ１００の要素を任意の適切な順序で組み立てることができ、これはどのようにアジャスタ１００を組み立てることができるかを示す単なる実施例であることを認識されたい。
【００２７】
操作中、アジャスタ１００が位置決め位置にあるとき、帯ひも１９７の長さ方向に沿って所望の位置にアジャスタ１００を移動させることができ、これは図６および図７に示されている。ラチェットホイール１８０および１８６の一方を回して帯ひも１９７の緩みを無くし、所望の適合性を得ることができるであろう。ラチェットホイール１８０および１８６はハブ部分１２１および１２８に接続されるので、一方を回すと他方が回り、ハブ部分１２１および１２８が回転してハブの周りに帯ひも１９７を巻き取る。歯は、ラチェットホイールを回すのに役立つ滑らない面を具えている。歯の形状は一方向の回転を許容するが、逆方向の回転を防止している。スプリング１５８および１６３は歯止め部材１６８および１７４を付勢して歯に係合し、ラチェットホイールが回転するとき、歯止め部材１６８および１７４が歯を越えて滑り、回転方向の隣接歯に係合する。第１の部分的に巻いた位置が図８および図９に示されており、第２の部分的に巻いた位置が図１０および図１１に示されている。
【００２８】
帯ひも１９７を緩めるために、双方の歯止め部材１６８および１７４が枢動して歯から係合部分１６９および１７５を解除し、これが解除部分１７０および１７６に下向きの力を加え、これが係合部分１６９および１７５を上方に移動させて歯から離すことによって達成することができるであろう。次いで、帯ひも１９７をアジャスタ１００から離れる逆方向に引っ張るか、またはアジャスタ１００を外方に引っ張ってハブあるいはシャフトから帯ひも１９７を解くことができる。
【００２９】
一実施形態のアジャスタ２００が図１２〜図１８に示されている。アジャスタは図１２に示す向きで記載されているが、この向きにアジャスタを限定すべきでないことを理解されたい。
【００３０】
アジャスタ２００は基板２０１を具え、第１の側面２０５と第２の側面２１５を相互に接続する中間部分２０２を具えている。中間部分２０２は略矩形であり、前部部分２０２ａと後部部分２０２ｂとの間に開口部２０３を具えている。第１の側面２０５は中間部分２０２の一方の側の近傍で上方に延在し、第２の側面２１５は中間部分２０２の反対側の近傍で上方に延在する。第１の側面２０５は、第１の端部２０６と第２の端部２０８を具え、その端部２０６と２０８の間に開口部２０７を具えている。第１の突部２０９は、第２の端部２０８の近傍で第１の側面２０５から上方に延在し、開口部２１０を具えている。第２の突部２１１は、第１の突部２０９の近傍で外方に延在し、第１のアーム２１２と第２のアーム２１３を具え、その間に切欠き部２１４を形成している。第２の側面２１５は、第１の端部２１６と第２の端部２１８を具え、その端部２１６と２１８の間に開口部２１７を具えている。第１の突部２１９は、第２の端部２１８の近傍で第２の側面２１５から上方に延在し、開口部２２０を具えている。第２の突部２２１は、第１の突部の近傍で外方に延在し、第１のアーム２２２と第２のアーム２２３を具え、その間に切欠き部２２４を形成している。
【００３１】
棒材２３０は略円筒状の中間部分２３３を具え、第１の端部２３１と第２の端部２３２を相互に接続するギザギザの表面２３４を具え、これは中間部分２３３から外方で長手方向に延在する矩形の突部である。中間部分２３３は基板の開口部２０３に嵌るよう構成および配置され、端部２３１および２３２は基板２０１の側面２０５および２１５のそれぞれの開口部２０７および２１７に嵌るよう構成および配置される。棒材２３０は、基板２０１内で滑動可能であることが好ましい。
【００３２】
ハブまたはシャフト部分２４２は、第１および第２の部分２４８および２４９を具え、これがその間にスロット２５０を形成し、第１の端部２４３と第２の端部２５１を相互に接続する。スロット２５０はテーパ状であり、これにより一方の側がスロット２５０の他方の側より広い。第１の端部２４３は、摘み２４４とラチェットホイール２４６を相互に接続する接続部２４５を具えている。摘み２４４は、図示するように十字形の部材であるが、任意の適切な摘みとすることができ、滑り止めのある表面を具えていることが好ましい。接続部２４５は、アーム２１２および２１３によって切欠き部２１４に受け入れられるよう構成および配置される。ラチェットホイール２４６は歯２４７を具えており、第１および第２の部分２４８および２４９の端部が接続部２４５に対向する側でラチェットホイール２４６に作動的に接続される。第２の端部２５１は歯２５３を具えるラチェットホイール２５２を具えており、第１および第２の部分２４８および２４９の対向する端部がラチェットホイール２５２に作動的に接続される。突部２５４は、ラチェットホイール２５２から外方に延在し、アーム２２２および２２３によって切欠き部２２４に受け入れられるよう構成および配置されている。ハブ部分２４２の構成要素は、単一部品もしくは作動的に接続した別個の部品として一体に成形することができるであろう。ハブあるいはシャフト部分２４２は、プラスチックで作製することができるであろう。
【００３３】
歯止め２６０ａおよび２６０ｂは、それぞれのラチェットホイール２４６および２５２を解除可能に係合するよう構成および配置される。図１３に示すように、歯止め２６０ｂは２つの隣接歯２５３の間の近傍でラチェットホイール２５２に係合するよう構成および配置され、歯の一方が係合部分２６１に係合するよう構成および配置され、一方向の回転を防止する。中間部分２６２は、開口部２６３と、切欠き部２６４と、延長部２６５とを具えており、係合部分２６１と解除部分２６６を相互に接続している。延長部２６５は、解除部分２６６の近傍で中間部分２６２から外方に延在し、切欠き部２６４は延長部２６５と係合部分２６１との間にある。符号は付されていないが、歯止め２６０ａは歯止め２６０ｂと同様の構成要素を具えている。
【００３４】
ピン２３８は、第１の端部２３９および第２の端部２４０を具え、これはピン２３８の中間部分より直径が小さい。ピン２３８の端部２３９および２４０は、基板２０１のそれぞれの開口部２１０および２２０に挿入される前に、歯止め２６０ａおよび２６０ｂのそれぞれの開口部およびスプリング（図示せず）の穴に挿入される。基板２０１から外方に延在する端部２３９および２４０の部分は、先を潰されてヘッドを形成する。各スプリングの一方の端部が基板２０１に係合し、各スプリングの他方の端部がそれぞれの歯止めに係合して歯止めに付勢力を与え、ラチェットホイールに係合する係合位置に歯止めを付勢する。歯止めの切欠き部は、棒材２３０に適合し、これを位置決めし、さらに歯止めが回転するときに棒材２３０を移動させる。歯止めがラチェットホイールに係合するとき、棒材２３０は後部部分２０２ｂの方に配置される。歯止めがラチェットホイールから解除されるとき、棒材２３０は前部部分２０２ａの方に配置される。スプリングは歯止めの解除部分を下方に付勢し、歯止めの延長部は側面２０５および２１５に接触してストッパとして動作し、歯止めの更なる降下を防止している。解除部分２６６は内側に延在し、表面を提供し、この上に下向きの力を加えてスプリングの付勢力に打ち勝ち、係合部分２６１を上方に回転して、ラチェットホイール２５２から離し、ラチェットホイールを解除することができる。
【００３５】
帯ひも（図示せず）は端部を具え、これは約１／４インチにわたって折り畳まれ、「バータック（ｂａｒ  ｔａｃ）」を用いて自身に縫い付けられる。スロット２５０はテーパ状であり、これにより「バータック」を具えた帯ひもの端部がスロットのより広い部分に嵌るが、スロットのより狭い部分を通して引き抜くことはできない。次いで帯ひもは、基板２０１の下、棒材２３０と基板２０１の前部部分２０２ａとの間の開口部２０３の中、棒材２３０の周囲、次いで棒材２３０と基板２０１の他方の側の近傍の後部部分２０２ｂとの間の開口部２０３の中を進む。帯ひもは棒材２３０と後部部分２０２ｂとの間に挟まれ、摩擦が帯ひもを固定した状態にする。帯ひもに負荷が掛かっても、摩擦が十分であり、所定の位置に帯ひもを適切に保持する。第２の帯ひも（図示せず）の端部は、棒材２３０と前部部分２０２ａとの間の開口部２０３に挿入され、次いで自身に縫い付けられる。このようにして、アジャスタ２００を用いて２つの帯ひもを相互に接続し、ハブ部分２４２に接続される帯ひもの一方を調整する。
【００３６】
操作中、任意に緩んだまたは余った帯ひもを巻き取るために、摘み２４４を回転して部分２４８および２４９の周りに帯ひもの一部を巻き取り、摘み２４４を巻取方向に回転したとき、歯止め２６０が歯の上を滑って隣接歯の近傍でラチェットホイールに係合する。逆方向では、歯止め２６０に歯が係合し、これが摘み２４４が回転するのを防止する。帯ひもが部分２４８および２４９の周りに巻き取られるとき、帯ひもは中間部分２０２を通り、棒材２３０の周りを滑る。帯ひもを緩めるために、解除部分に上向きの力を加え、これが係合部分を下方に枢動させ、ラチェットホイールの歯から離すことによって双方の歯止め２６０がラチェットホイール２４６および２５２から解除される。加えて、歯止めが前部部分２０２ａの方へ棒材２３０を移動させ、帯ひもを装置の中で滑らせる。次いで逆の巻戻方向に摘み２４４を回転することができる。
【００３７】
一実施形態のアジャスタ６００が図５０〜図５３に示されており、アジャスタ２００に類似している。したがって、比較的顕著な違いのみを記載する。アジャスタは図５１に示す向きで記載されているが、この向きにアジャスタを限定すべきでないことを理解されたい。
【００３８】
アジャスタの基板は前部部分６０２ａと後部部分６０２ｂを具え、側面６０５および６１５はアジャスタ２００と類似する基板から上方に延在する。棒材６３０は、同じように基板に接続される。第１の側面の第２のアーム６１３の近傍には、そこから突部６２５が外方に延在し、開口部６２６を具え、第２の側面の第２のアーム６２３の近傍には、そこから突部６２７が外方に延在し、開口部６２８を具えている。
【００３９】
カバー６７５は基板に接続するよう構成および配置され、頂面６７６と、穴６７７ａが延在するヒンジ部分６７７と、後部部分６７８とを具えている。後部部分６７８は、側面で相互に接続する頂面６７９と底面６８０を具え、スロット６８１を形成している。穴６７７ａはピン６３８を受け入れるよう構成および配置され、歯止め６６０ａおよび６６０ｂがカバー６７５のそれぞれの側面のピン６３８に配置される。次いでピン６３８の端部が突部６０９および６１９の開口部に挿入され、カバー６７５と歯止め６６０ａおよび６６０ｂを固定する。ピン６３８はリベットにすることもできるであろう。ねじ、止め金具、またはリベットなどの留め具（図示せず）は基板の開口部６２６および６２８の各々に挿入することができ、基板にカバー６７５を固定してカバー６７５が開くのを防止する。
【００４０】
スプリング（図示せず）は、カバー６７５と、歯止め６６０ａおよび６６０ｂの各々との間のピン６３８の周りに配置され、一方の端部がカバー６７５に作動的に接続し、他方の端部が歯止めに作動的に接続し、歯止めを付勢してラチェットホイールに係合させる。カバー６７５に接続する端部は穴６７７ａを形成する筒状部分の周りに巻き取られ、歯止めに接続する端部は係合部分と解除部分との間の切欠き部の近傍で歯止めに係合する。
【００４１】
図５３に示すように、カバー６７５はハブ部分６４２のラチェットホイール６４６および６５２の形状に対応しており、摘み６４４はカバー６７５の他方の側に配置される。帯ひも（図示せず）はアジャスタ２００と同じようにアジャスタ６００の中を通るが、帯ひもはカバー６７５のスロット６８１を通って延在する。ハブ部分６４２のテーパ状のスロットは、図５３に示されている。カバー６７５は、ハブ部分６４２の所定の位置で、かつカバー６７５の後部部分６７８の近傍で帯ひもを保持するのに役立つ。
【００４２】
一実施形態のアジャスタ３００が図１９〜図２３に示されている。アジャスタは図１９および図２０に示す向きで記載されているが、この向きにアジャスタを限定すべきでないことを理解されたい。アジャスタ３００は、他の要素が作動的に接続した基板３０１および３１１を具えている。
【００４３】
基板３０１は略矩形であり、第１の側３０２と第２の側３０６を具えている。基板３０１はさらに、頂部と第１の側３０２の近傍に開口部３０３と、底部と第１の側３０２の近傍に開口部３０４と、頂部と第２の側３０６の近傍に開口部３０７と、底部と第２の側３０６の近傍に開口部３０８と、側部の開口部の間に中心開口部３０５とを具えている。
【００４４】
基板３１１はさらに略矩形であり、第１の側３１２と第２の側３１６を具えている。基板３１１はさらに、頂部と第１の側３１２の近傍に開口部３１３と、底部と第１の側３１２の近傍に開口部３１４と、頂部と第２の側３１６の近傍に開口部３１７と、底部と第２の側３１６の近傍に開口部３１８と、側部の開口部の間に中心開口部３１５とを具えている。傾斜部３１９は中心開口部３１５と開口部３１３および３１４との間の近傍に配置されており、傾斜部３２０は中心開口部３１５と開口部３１７および３１８との間の近傍に配置されている。傾斜部３１９は底部から頂部へ傾斜し、傾斜部３２０は頂部から底部へ傾斜している。
【００４５】
シャフト３２２は略円筒状であり、第１の端部３２３と第２の端部３２６を相互に接続する中間部分３２４を具えている。中間部分３２４は、スロット３２５を具えている。第１および第２の端部３２３および３２６は、中間部分３２４より小さな直径を有している。第２の端部３２６は、段階的により小さな直径の３つの部分と、その部分の間に第１および第２の段部３２８および３２９とを具えている。第２の端部３２６の遠位端の近くに移動止め３２７がある。第２の端部３２６の対向する側面には、平らな部分３３０を具えている。第１の端部３２３は基板３０１の中心開口部３０５に挿入されるよう構成および配置され、第２の端部３２６は基板３１１の中心開口部３１５に挿入されるよう構成および配置される。第２の端部３２６の遠位端は、基板３１１から外方に延在する。シャフト３２２の中間部分３２４は、基板３０１および３１１の間に配置される。
【００４６】
開口部３０３および３１３に対応して長手方向の穴を有するスペーサ３３５は基板３０１および３１１の間に配置され、留め具３３６が開口部３０３および３１３と当該穴とを通って延在し、基板３０１および３１１にスペーサ３３５を接続する。開口部３０４および３１４に対応して長手方向の穴を有するスペーサ３３７は基板３０１および３１１の間に配置され、留め具３３８が開口部３０４および３１４と当該穴とを通って延在し、基板３０１および３１１にスペーサ３３７を接続する。開口部３０７および３１７に対応して長手方向の穴を有するスペーサ３３９は基板３０１および３１１の間に配置され、留め具３４０が開口部３０７および３１７と当該穴とを通って延在し、基板３０１および３１１にスペーサ３３９を接続する。開口部３０８および３１８に対応して長手方向の穴を有するスペーサ３４１は基板３０１および３１１の間に配置され、留め具３４２が開口部３０８および３１８と当該穴とを通って延在し、基板３０１および３１１にスペーサ３４１を接続する。図２０は、予め先を潰してヘッドを形成し、スペーサを基板３０１および３１１に固定する留め具３３６，３３８，３４０および３４２を示している。
【００４７】
摘み３４５は略円筒状であり、自身を通って長手方向に延在する穴３５０を具えている。穴３５０はシャフト３２２の平らな部分３３０に対応する平らな部分３５１を対向して具えており、これにより摘み３４５が第２の端部３２６の周りに配置された場合、摘み３４５とシャフト３２２が一緒に回転する。摘み３４５の第１の端部３４６は、４つの９０度間隔を隔てた切欠き部３４７を具えている。各切欠き部３４７は、基板３１１の傾斜部の一部を受け入れるよう構成および配置され、２つの対向する切欠き部が傾斜部を受け入れる。第２の端部３４８は、穴３５０と流体連通する空洞３４９を具えている。スプリング３５４は、空胴３４９の中およびシャフト３２２の第２の端部３２６の周りに配置され、ワッシャー３５５と止め輪３５６が移動止め３２７に係合し、スプリング３５４をシャフト３２２に固定する。
【００４８】
帯ひも（図示せず）は、スロット３２５の中、スペーサ３３５と３３７の間、およびスペーサ３３９と３４１の間に延在する。スペーサは、帯ひもの摩耗を低減するのに役立つ。帯ひもがシャフト３２２の周りに巻き取られていないとき、アジャスタ３００は位置決め位置にあり、帯ひもの長さ方向に沿って滑らせて帯ひも上の所望の位置にアジャスタ３００を配置することができる。
【００４９】
操作中、シャフト３２２を回転する摘み３４５を単に回転することによって帯ひもがシャフト３２２の周りに巻き取られる。スプリング３５４は、摘み３４５に付勢力を与え、基板３１１の方へ摘み３４５を付勢し、傾斜部３１９および３２０に摘み３４５が係合しているとき、摘み３４５は一方向に回転することができず、これによりシャフト３２２が一方向に回転することができない。図１９，図２０および図２３に示すように、一方向は反時計回りの方向である。しかしながら、傾斜部３１９および３２０が傾斜しているので、摘み３４５は逆方向に回転し、これによりシャフト３２２が逆方向に回転することができる。逆方向とは、時計回りの方向である。シャフト３２２から帯ひもを巻き戻すため、摘み３４５が基板３１１から離れる外方に引っ張られ、スプリングを圧縮し、摘み３４５が傾斜部３１９および３２０から解除され、摘み３４５およびシャフト３２２を反時計回りの方向に回転させることができる。摘み３４５が解除されたとき、スプリング３５４が基板３１１の方へ摘み３４５を付勢して傾斜部３１９および３２０に係合させる。
【００５０】
一実施形態のアジャスタ４００が図２４〜図２９に示されている。アジャスタは図２４および図２５に示す向きで記載されているが、この向きにアジャスタを限定すべきでないことを理解されたい。
【００５１】
図３０〜図３３に示す基板４０１は、第１の側面４０５と第２の側面４１５を相互に接続する中間部分４０２を具えており、これは一体型であることが好ましいが、ともに作動的に接続した別個の要素にすることができるであろう。中間部分４０２は、中間部分４０２の前部部分４０２ａと後部部分４０２ｂとの間に開口部４０３を具えている。第１の側面４０５は、前部４０６と後部４０９を有する前部部分と後部部分の間の近傍に、中間部分４０２の一方の側から上方に延在する頂部部分を具え、中間部分４０２から下方に延在する底部部分４１１を具えている。第１の側面４０５はさらに、前部４０６の近傍に開口部４０７と、後部４０９の頂部の近傍で外方に延在する突部４１０とを具えている。底部部分４１１は丸くされており、穴４０８は頂部部分と底部部分４１１の接続点の近傍に配置されている。
【００５２】
第２の側面４１５は、前部４１６と後部４１９を有する前部部分と後部部分の間の近傍に、中間部分４０２の対向する側から上方に延在する頂部部分を具え、中間部分４０２から下方に延在する底部部分４２２を具えている。第２の側面４１５はさらに、前部４１６の近傍に開口部４１７と、後部４１９の頂部の近傍で外方に延在する突部４２０とを具えている。底部部分４２２は丸くされており、穴４１８は頂部部分と底部部分４２２の接続点の近傍に配置されている。穴４１８は、３つの１２０度間隔を隔てた切欠き部４２１を具えることが好ましい。
【００５３】
図３９〜図４２に示すシャフト４２５は、第１の端部４２６と第２の端部４２９を相互に接続する中間部分４２７を具えている。中間部分４２７はスロット４２８を具えており、これは面取りするか、もしくは丸みをつけて帯ひもの摩耗を低減することが好ましい。スロット４２８は面取りされるか、もしくは丸みをつけられるので、第１の端部４２６は図３９と図４０で異なって見える。第２の端部４２９は、図３９および図４０に示すように、より小さな直径の部分と、２つの部分の間に段部４３１とを具えている。平らな部分４３２は第２の端部４２９の対向する側にあり、移動止めは第２の端部４２９の遠位端の近傍にある。
【００５４】
図４３〜図４５に示す摘み４３５は略円筒状であり、自身を通って長手方向に延在する穴４４０を具え、傾斜部４３７が外方に延在する第１の端部４３６を具えている。穴４１８の切欠き部４２１に対応して約１２０度間隔を隔てた３つの傾斜部４３７があることが好ましい。傾斜部４３７は、穴４４０の周りで時計回りの方向に傾斜している。第２の端部４３８は穴４４０より大きな直径を具えた空胴４３９を具えており、これは穴４４０の対向する側面に平らな部分４４１を具え、それがシャフト４２５の平らな部分４３２に対応する。摘み４３５の外面は、リブ４４２もしくは任意の他の適切な滑らない表面を具えることが好ましい。
【００５５】
図３４〜図３７に示すカバー４４５は前部４４６と後部４５０を具えており、これが中間部分から下方に湾曲している。第１および第２の内側突起４４７および４４８は、前部４４６に沿って延在し、その間に通路４４９を形成している。後部４５０は自身から外方に延在するフランジ４５５を具え、第１および第２の突部４５１および４５３がフランジ４５５の遠位端の対向する側から延在し、それぞれ第１および第２の切欠き部４５２および４５４を形成している。
【００５６】
シャフト４２５は穴４０８および４１８を通って延在し、これによりシャフトの中間部分４２７が基板の中間部分４０２の近傍となり、第１の側面４０５が穴４０８に第１の端部４２６を受け入れ、第２の側面４１５が穴４１８に第２の端部４２９を受け入れる。第２の端部４２９は摘み４３５の穴４３９に挿入され、摘み４３５はワッシャー４６１および止め輪４６２で第２の端部４２９に接続される。スプリング（図示せず）は第２の端部４２９の周りで段部４３１とワッシャーとの間に配置され、スプリングは摘み４３５に付勢力を与え、第２の側面４１５の方へ摘み４３５を付勢し、傾斜部４３７が切欠き部４２１に配置され、摘み４３５の回転を防止し、これによりシャフト４２５の回転を防止する。
【００５７】
基板４０１の突部４１０および４２０はカバー４４５の切欠き部４５２および４５４に嵌り、基板の開口部４０７および４１７はカバー４４５の通路４４９に並ぶ。留め具４５８は、図３８に示しており、開口部４０７および４１７ならびに通路４４９を通って延在し、カバー４４５および基板４０１を接続する。カバー４４５と基板４０１が接続されたとき、基板４０１とカバー４４５の前部４４６との間にスロット４５６が形成される。
【００５８】
帯ひも（図示せず）は端部を具えており、これはスロット４２８の中に挿入され、中間部分４２７の一方の側を周り、次いで縫い合わせにより自身に固定される。あるいは、帯ひもの端部を約１／４インチにわたって折り畳み、「バータック」を用いて自身に縫い付けることができる。スロット４２８は面取りするか、もしくはテーパ状にすることができ、これにより「バータック」を具えた帯ひもの端部がスロットの一方の側のより広い（外側）部分に嵌るが、スロットのより狭い（内側）部分を通して引き抜くことはできない。帯ひもはスロット４２８を通り、基板４０１とカバー４４５との間のスロット４５６を通って延在する。第２の帯ひも（図示せず）の端部は開口部４０３に挿入され、後部部分４０２ｂの周りに配置され、次いで自身に縫い付けられる。このようにして、アジャスタ４００を用いて２つの帯ひもを相互に接続し、シャフト４２５に接続される帯ひもの一方を調整する。
【００５９】
操作中、シャフト４２５を回転する摘み４３５を単に回転することによって帯ひもがシャフト４２５の周りに巻き取られる。傾斜部４３７が傾斜しており、摘み４３５が逆の巻戻方向に回転するのを傾斜部４３７の段部が防止するので、摘み４３５は巻取方向にのみ回転することができる。スプリング（図示せず）は摘み４３５に付勢力を与え、第２の側面４１５へ摘み４３５を付勢し、傾斜部４３７が第２の側面４１５によって切欠き部４２１に係合したとき、摘み４３５は逆の巻戻方向に回転することができず、これによりシャフト３２２が逆の巻戻方向に回転することができない。シャフト４２５から帯ひもを巻き戻すため、摘み４３５が第２の側面４１５から離れて外方に引っ張られ、スプリングを圧縮し、傾斜部４３７が切欠き部４２１から取り除かれ、これが摘み４３５およびシャフト４２５を反時計回りの方向に回転させることができる。摘み４３５が解除されたとき、スプリングは第２の側面４１５の方へ摘み４３５を付勢して傾斜部４３７に係合させる。
【００６０】
一実施形態のアジャスタ４００’が図４６に示されており、アジャスタ４００’と共に用いることができる雌バックル部分４９５が図４７に示されている。アジャスタ４００’は、アジャスタ４００と似ているが、基板の中間部分の後部部分から外方に延在する雄バックル部分４９０を具えている。使用することができる適切な雌バックル部分の一例は、米国特許第６，６６８，４３４号に開示されている。雄バックル部分４９０は、雌バックル部分４９５の歯止め４６９および４９７によって係合されるよう構成および配置した段部４９１および４９２を具えており、これはこの分野で周知である。任意の適切な雄バックル部分と雌バックル部分を用いることができ、これらの部分は交換することもできる。クイックコネクト型バックルに加えて、パススルー型バックルまたは任意の他の適切な型のバックルを用いることもでき、これらのバックルの一部をアジャスタに接続して２つのストラップを接続することができる。
【００６１】
アジャスタの１つの利用可能性は、図４８に示されており、これはアジャスタ１００を示しているが、任意の適切なアジャスタを用いることができる。任意の適切な安全帯を用いることができるが、安全帯５００は適切な安全帯の一例である。安全帯のストラップは、帯ひもまたは他の適切な材料で作製することができる。安全帯５００は、第１の肩ストラップ５０１と第２の肩ストラップ５０２とを具えており、これは背部パッド５０３に通され、Ｄリング５０４が背部パッド５０３を具えたストラップ５０１および５０２に作動的に接続される。安全帯５００の前部の近傍には、肩ストラップ５０１および５０２が胸ストラップ５０５および５０６に相互に接続される。胴ストラップ５０７は背部パッド５０３より下の近傍と、胸ストラップ５０５および５０６より下の近傍とで肩ストラップ５０１および５０２に接続し、尻当てストラップ５０８は肩ストラップ５０１および５０２の遠位端の近傍で肩ストラップ５０１および５０２に作動的に接続される。腿ストラップ５０９および５１０は、肩ストラップ５０１および５０２ならびに尻当てストラップ５０８の接続点の近傍に作動的に接続される。
【００６２】
アジャスタ１００は胸ストラップ５０５および５０６と胴ストラップ５０７との間の肩ストラップ５０１および５０２に作動的に接続され、アジャスタ１００を用いてハブまたはシャフト部分の周りに任意の余分な帯ひもを巻き取ることによって肩ストラップ５０１および５０２の長さを調整する。アジャスタ１００および３００と類似するアジャスタを用いて肩ストラップ５０１および５０２の長さを調整することができるであろう。
【００６３】
他の利用可能性の実施例は、完全に考慮されていないが、安全帯を具えたアジャスタが図４９に示されている。任意の適切な安全帯を用いることができるが、安全帯６００は適切な安全帯の一例である。安全帯６００は、第１の肩ストラップ６０１および第２の肩ストラップ６０２を具えており、これは胸ストラップ６０５および６０６に相互に接続されている。任意の胴ストラップは端部６０７ａおよび６０７ｂを具え、胸ストラップ６０５および６０６より下の近傍で肩ストラップ６０１および６０２に接続し、尻当てストラップ６０８は肩ストラップ６０１および６０２の遠位端の近傍で肩ストラップ６０１および６０２に作動的に接続されている。腿ストラップは、端部６０９ａおよび６０９ｂならびにストラップ６１０ａおよび６１０ｂを具え、肩ストラップ６０１および６０２ならびに尻当てストラップ６０８の接続点の近傍で作動的に接続されている。
【００６４】
安全帯６００にアジャスタを用いることができる様々な位置が図４９のブロックによって示されている。アジャスタＡ１は胸ストラップ６０５および６０６を相互に接続しており、アジャスタＡ１はアジャスタ２００，４００，４００’および６００の何れかにすることができるであろう。あるいは、胸ストラップが２つのストラップではなく１つのストラップである場合、アジャスタ１００および３００の一方を用いることができるであろう。
【００６５】
アジャスタＡ２およびＡ３はそれぞれ肩ストラップ６０１および６０２に作動的に接続されており、アジャスタＡ２およびＡ３はアジャスタ１００および３００の一方にすることができるであろう。あるいは、肩ストラップがそれぞれ１つのストラップではなくそれぞれ２つのストラップである場合、アジャスタ２００，４００，４００’および６００の何れかを用いることができるであろう。加えて、アジャスタＡ２およびＡ３がアジャスタ４００もしくは他の適切なアジャスタである場合、アジャスタＡ４およびＡ５の位置にバックルを用いて尻当てストラップ６０８の端部に肩ストラップの部分を接続することができるであろう。
【００６６】
アジャスタＡ４およびＡ５は肩ストラップ６０１および６０２ならびに尻当てストラップ６０８の端部に相互に接続しており、アジャスタＡ４およびＡ５はアジャスタ２００，４００，４００’および６００の何れかにすることができるであろう。
【００６７】
アジャスタＡ６は胴ストラップの端部６０７ａおよび６０７ｂに相互に接続しており、アジャスタＡ６はアジャスタ２００，４００，４００’および６００の何れかにすることができるであろう。
【００６８】
アジャスタＡ７およびＡ８は腿ストラップのそれぞれの端部６０９ａおよび６０９ｂならびに端部６１０ａおよび６１０ｂを相互に接続し、アジャスタＡ７およびＡ８はアジャスタ２００，４００，４００’および６００の何れかにすることができるであろう。
【００６９】
アジャスタがハブまたはシャフトの周りに余分な帯ひも材を巻き取るので、安全帯にぶら下がって残る端部が全くない。これにより、何かに引っ掛かるという安全帯の危険性が低減されている。
【００７０】
加えて、一度ストラップを調整すれば、ストラップが使用中に緩くなるという可能性をアジャスタが低減するので、ストラップを再調整する必要がない。
【００７１】
幾つかの実施形態は実施例として記載されており、実施形態の間で様々な特徴を置換することができる。
【００７２】
上記明細書、実施例、およびデータは、本発明の実施形態の構成の製造および使用方法の十分な説明を提供している。本発明の趣旨および範囲から外れずに本発明の多くの実施形態を作製することができるので、本発明は以下に添付した特許請求の範囲に属している。
【図１】
2012521853.tif 000003
【図２】
2012521853.tif 000004
【図３】
2012521853.tif 000005
【図４】
2012521853.tif 000006
【図５】
2012521853.tif 000007
【図６】
2012521853.tif 000008
【図７】
2012521853.tif 000009
【図８】
2012521853.tif 000010
【図９】
2012521853.tif 000011
【図１０】
2012521853.tif 000012
【図１１】
2012521853.tif 000013
【図１２】
2012521853.tif 000014
【図１３】
2012521853.tif 000015
【図１４】
2012521853.tif 000016
【図１５】
2012521853.tif 000017
【図１６】
2012521853.tif 000018
【図１７】
2012521853.tif 000019
【図１８】
2012521853.tif 000020
【図１９】
2012521853.tif 000021
【図２０】
2012521853.tif 000022
【図２１】
2012521853.tif 000023
【図２２】
2012521853.tif 000024
【図２３】
2012521853.tif 000025
【図２４】
2012521853.tif 000026
【図２５】
2012521853.tif 000027
【図２６】
2012521853.tif 000028
【図２７】
2012521853.tif 000029
【図２８】
2012521853.tif 000030
【図２９】
2012521853.tif 000031
【図３０】
2012521853.tif 000032
【図３１】
2012521853.tif 000033
【図３２】
2012521853.tif 000034
【図３３】
2012521853.tif 000035
【図３４】
2012521853.tif 000036
【図３５】
2012521853.tif 000037
【図３６】
2012521853.tif 000038
【図３７】
2012521853.tif 000039
【図３８】
2012521853.tif 000040
【図３９】
2012521853.tif 000041
【図４０】
2012521853.tif 000042
【図４１】
2012521853.tif 000043
【図４２】
2012521853.tif 000044
【図４３】
2012521853.tif 000045
【図４４】
2012521853.tif 000046
【図４５】
2012521853.tif 000047
【図４６】
2012521853.tif 000048
【図４７】
2012521853.tif 000049
【図４８】
2012521853.tif 000050
【図４９】
2012521853.tif 000051
【図５０】
2012521853.tif 000052
【図５１】
2012521853.tif 000053
【図５２】
2012521853.tif 000054
【図５３】
2012521853.tif 000055
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
安全帯の少なくとも１つのストラップの長さを調整するアジャスタであって、前記少なくとも１つのストラップが少なくとも１つの肩ストラップと、少なくとも１つの胸ストラップと、少なくとも１つの胴ストラップと、少なくとも１つの尻当てストラップと、少なくとも１つの腿ストラップとから成る群から選択され、
基板と、
当該基板に回転可能に作動的に接続され、前記少なくとも１つのストラップを受け入れるよう構成および配置されたスロットを規定するシャフトと、
前記基板と前記シャフトを相互に接続するロック機構とを具え、前記ロック機構が第１の方向のシャフトの回転を許容し、第２の逆方向のシャフトの回転を防止することを特徴とするアジャスタ。
【請求項２】
請求項１に記載のアジャスタにおいて、前記スロットがテーパ状であり、前記少なくとも１つのストラップの端部を受け入れることを特徴とするアジャスタ。
【請求項３】
請求項１に記載のアジャスタにおいて、前記シャフトが前記少なくとも１つのストラップの長手方向に沿った何れかの位置の所望の位置で少なくとも１つのストラップを受け入れ、前記所望の位置が前記少なくとも１つの胸ストラップに沿った位置、前記少なくとも１つの肩ストラップに沿った位置、前記少なくとも１つの尻当てストラップと前記少なくとも１つの肩ストラップとの間の位置、前記胴ストラップに沿った位置、および前記少なくとも１つの腿ストラップに沿った位置から成る群から選択されることを特徴とするアジャスタ。
【請求項４】
請求項１に記載のアジャスタにおいて、第２のストラップが接続される雌バックル部分に作動的に接続するよう構成および配置された雄バックル部分を前記基板が具えることを特徴とするアジャスタ。
【請求項５】
請求項１に記載のアジャスタにおいて、前記ロック機構が、
前記シャフトの各端部に作動的に接続した歯付きのラチェットホイールと、
前記基板に枢動的に接続し、係合位置で前記ラチェットホイールに係合し、解除位置で前記ラチェットホイールを解除するよう構成および配置された複数の歯止めと、
前記歯止めと前記基板に相互に接続し、前記係合位置に前記歯止めを付勢するスプリングとを具え、
前記歯止めが前記係合位置にあるときに前記シャフトが前記第１の方向に回転可能であり、前記歯止めの双方が前記解除位置にあるときに前記シャフトが前記第１の方向および前記第２の方向に回転可能であることを特徴とするアジャスタ。
【請求項６】
請求項１に記載のアジャスタにおいて、前記ロック機構が、
前記シャフトの端部に作動的に接続した摘みと、
前記シャフトの端部および前記摘みに作動的に接続し、前記基板の方へ前記摘みを付勢するスプリングと、
傾斜部を有する前記基板および前記摘みの一方と、
切欠き部を有する前記基板および前記摘みの他方であって、前記切欠き部が係合位置で前記傾斜部を受け入れる他方とを具え、
前記傾斜部が係合位置で切欠き部にあるときに前記シャフトが前記第１の方向に回転可能であり、前記摘みが前記基板から離れて解除位置で前記切欠き部から前記傾斜部を解除するときに前記シャフトが前記第１の方向および前記第２の方向に回転可能であることを特徴とするアジャスタ。
【請求項７】
請求項１に記載のアジャスタがさらに、前記基板に作動的に接続した棒材を具え、前記少なくとも１つのストラップが前記スロットの中、前記棒材の下および周囲、次いで前記シャフトの下を通されることを特徴とするアジャスタ。
【請求項８】
請求項１に記載のアジャスタにおいて、前記少なくとも１つのストラップが前記シャフトの周りに巻き取られる前に、前記シャフトが前記少なくとも１つのストラップの長さ方向に沿って滑動可能であることを特徴とするアジャスタ。
【請求項９】
請求項１に記載のアジャスタにおいて、前記基板が第１のストラップおよび第２のストラップに相互に接続し、前記シャフトが前記第１のストラップに作動的に接続していることを特徴とするアジャスタ。
【請求項１０】
請求項８に記載のアジャスタにおいて、前記シャフトが前記少なくとも１つのストラップの長手方向に沿った何れかの位置の所望の位置で少なくとも１つのストラップを受け入れ、前記所望の位置が前記少なくとも１つの胸ストラップに沿った位置、前記少なくとも１つの肩ストラップに沿った位置、前記少なくとも１つの尻当てストラップと前記少なくとも１つの肩ストラップとの間の位置、前記胴ストラップに沿った位置、および前記少なくとも１つの腿ストラップに沿った位置から成る群から選択されることを特徴とするアジャスタ。
【請求項１１】
請求項６に記載のアジャスタにおいて、前記基板が前記傾斜部を具え、前記摘みが前記切欠き部を具えることを特徴とするアジャスタ。
【請求項１２】
請求項６に記載のアジャスタにおいて、前記基板が前記切欠き部を具え、前記摘みが傾斜部を具えることを特徴とするアジャスタ。
【請求項１３】
請求項１に記載のアジャスタがさらに、前記基板に作動的に接続したカバーを具え、前記カバーおよび前記基板が開口部を形成し、この中に前記少なくとも１つのストラップが延在することを特徴とするアジャスタ。
【請求項１４】
アジャスタで安全帯の少なくとも１つのストラップの長さを調整する方法であって、前記少なくとも１つのストラップが少なくとも１つの肩ストラップと、少なくとも１つの胸ストラップと、少なくとも１つの胴ストラップと、少なくとも１つの尻当てストラップと、少なくとも１つの腿ストラップとから成る群から選択され、前記アジャスタが基板と、当該基板に回転可能に作動的に接続し、前記少なくとも１つのストラップを受け入れるよう構成および配置されたスロットを規定するシャフトと、前記基板および前記シャフトを相互に接続するロック機構であって、第１の方向の前記シャフトの回転を許容し、第２の逆方向の前記シャフトの回転を防止するロック機構とを具え、
前記少なくとも１つのストラップに沿った所望の位置に前記アジャスタを配置するステップと、
前記シャフトの周りに前記少なくとも１つのストラップを巻き取るステップと、
前記ロック機構で前記シャフトをロックし、巻戻方向の回転を防止するステップとを含むことを特徴とする方法。
【請求項１５】
請求項１４に記載の方法において、前記アジャスタが前記少なくとも１つのストラップの中間部分の近傍に配置され、前記少なくとも１つのストラップが前記アジャスタの一方の側の近傍の第１の部分と、前記アジャスタの反対側の近傍の第２の部分とを有し、前記少なくとも１つのストラップの第１および第２の部分が前記シャフトの周りに巻き取られることを特徴とする方法。
【請求項１６】
請求項１４に記載の方法において、前記アジャスタが前記少なくとも１つのストラップの端部の近傍に配置され、前記端部の近傍の前記少なくとも１つのストラップの一部が前記シャフトの周りに巻き取られることを特徴とする方法。
【請求項１７】
請求項１４に記載の方法において、前記アジャスタが前記安全帯の第１および第２のストラップを相互に接続し、前記第１のストラップが前記シャフトの周りに巻き取られ、前記第２のストラップが前記基板に作動的に接続されることを特徴とする方法。
【請求項１８】
請求項１７に記載の方法において、前記アジャスタが雄部分と雌部分を具え、前記雄部分が前記シャフトを具え、前記雌部分が前記雄部分に解除可能に係合するよう構成および配置され、前記第１のストラップが前記雄部分に接続され、前記シャフトの周りに巻き取り可能であり、前記第２のストラップが前記雌部分に接続されることを特徴とする方法。
【請求項１９】
請求項１４に記載の方法において、前記アジャスタが前記少なくとも１つの胸ストラップに作動的に接続され、前記少なくとも１つの胸ストラップが第１の部分と第２の部分を具え、前記アジャスタが前記第１および第２の部分を相互に接続し、前記アジャスタが雄部分と雌部分を具え、前記雄部分が前記シャフトを具え、前記雌部分が前記雄部分に解除可能に係合するよう構成および配置され、前記第１の部分が前記雄部分に接続し、前記シャフトの周りに巻き取り可能であり、前記第２の部分が前記雌部分に接続され、前記第１および第２の部分が前記雌部分から前記雄部分を分離することによって分離されることを特徴とする方法。
【請求項２０】
請求項１４に記載の方法において、前記アジャスタが前記少なくとも１つの肩ストラップに作動的に接続されることを特徴とする方法。
【請求項２１】
請求項１４に記載の方法において、前記アジャスタが前記少なくとも１つの肩ストラップと前記少なくとも１つの尻当てストラップを相互に接続することを特徴とする方法。
【請求項２２】
請求項１４に記載の方法において、前記アジャスタが前記少なくとも１つの胴ストラップに作動的に接続され、前記少なくとも１つの胴ストラップが第１の部分と第２の部分を具え、前記アジャスタが前記第１および第２の部分を相互に接続し、雄部分と雌部分を具え、前記雄部分が前記シャフトを具え、前記雌部分が前記雄部分を解除可能に係合するよう構成および配置され、前記第１の部分が前記雄部分に接続し、前記シャフトの周りに巻きつくことができ、前記第２の部分が前記雌部分に接続され、前記第１および第２の部分が前記雌部分から前記雄部分を分離することによって分離されることを特徴とする方法。
【請求項２３】
請求項１４に記載の方法において、前記アジャスタが少なくとも１つの腿ストラップに作動的に接続され、前記少なくとも１つの腿ストラップが第１の部分と第２の部分を具え、前記アジャスタが前記第１および第２の部分を相互に接続し、雄部分と雌部分を具え、前記雄部分が前記シャフトを具え、前記雌部分が前記雄部分に解除可能に係合するよう構成および配置され、前記第１の部分が前記雄部分に接続し、前記シャフトの周りに巻き取り可能であり、前記第２の部分が前記雌部分に接続され、前記第１および第２の部分が前記雌部分から前記雄部分を分離することによって分離されることを特徴とする方法。
【国際調査報告】
2012521853.tif 000056
2012521853.tif 000057